(57)【要約】【課題】放水を任意に停止できるものでありながら、設置が容易なスプリンクラヘッドを提供する。【解決手段】スプリンクラヘッド１において、ヘッド本体２に設けられ、弁体３が開放して放水口２ａから消火水Ｗが放出されている際に放水口２ａへの消火水Ｗの流水を停止するための止水機構部５と、止水機構部５を動作させるための起動ワイヤ６であって、感熱分解機構部４が分解する際にヘッド本体２下方に吊り下がる起動ワイヤ６とを備えていることを特徴とする。【選択図】図１
2015134003.tif 000002
【特許請求の範囲】
【請求項１】
先端に放水口を有するヘッド本体と、前記放水口を閉止する弁体と、常時は前記弁体を支持し、火災時は熱によって分解する感熱分解機構部とを備え、前記感熱分解機構部が分解し、前記弁体が前記放水口を開放することにより、前記放水口から消火水を放出するスプリンクラヘッドにおいて、
前記ヘッド本体に設けられ、前記弁体が開放して前記放水口から消火水が放出されている際に前記放水口への消火水の流水を停止するための止水機構部と、前記止水機構部を動作させるための起動ワイヤであって、前記感熱分解機構部が分解する際に前記ヘッド本体下方に吊り下がる起動ワイヤとを更に備えたことを特徴とするスプリンクラヘッド。
【請求項２】
前記止水機構部は、前記起動ワイヤによって回転動作する弁体を有し、その弁体が回転することにより前記放水口への消火水の流水を停止するものであることを特徴とする請求項１に記載のスプリンクラヘッド。
【請求項３】
前記止水機構部は、前記起動ワイヤによって前記放水口に至る流路を横断する方向に移動する弁体を有し、その弁体が移動することにより前記放水口への消火水の流水を停止するものであることを特徴とする請求項１に記載のスプリンクラヘッド。
【請求項４】
前記起動ワイヤは、一端が前記止水機構部に係止されると共に、他端が前記感熱分解機構部に係止されるものであり、前記感熱分解機構部が分解し、前記ヘッド本体下方に落下することにより、前記止水機構部より前記ヘッド本体下方に吊り下がるものであることを特徴とする請求項１乃至３の何れかに記載のスプリンクラヘッド。
【請求項５】
前記止水機構部は、前記感熱分解機構部が分解して落下し、その落下荷重が前記起動ワイヤを介して伝達することにより、前記放水口への消火水の流水を停止する状態から開放する状態に動作するものであることを特徴とする請求項４に記載のスプリンクラヘッド。
【発明の詳細な説明】
【技術分野】
【０００１】
この発明は、消火用のスプリンクラヘッドに関する。
【背景技術】
【０００２】
スプリンクラヘッドは、地震の際や物がぶつかった際等に衝撃によって破損してしまうと誤放水を引き起こす、また火災時にはスプリンクラヘッドの動作により初期消火が行われ鎮火した後にもかかわらず放水が継続することで大量の消火水が散水され、大きな水損を生じさせることがある。
【０００３】
そのような水損を小さくするためのものとして、例えば、実公平５−４８４６号公報（特許文献１）に記載の技術は、スプリンクラヘッドへの消火水の流入を止めるための止水機構をスプリンクラヘッドと配管との間に設けると共に、その機構を起動するための起動ワイヤを設置場所の壁面上の操作箱まで延伸して設けてなる緊急放水停止装置を提案している。
【先行技術文献】
【特許文献】
【０００４】
【特許文献１】実公平５−４８４６号公報
【発明の概要】
【発明が解決しようとする課題】
【０００５】
しかしながら、前記の緊急放水停止装置は、スプリンクラヘッドとは別に止水機構や起動ワイヤ等を設ける必要があるため、施工の際の手間が多くなるという問題がある。又、止水機構をスプリンクラヘッドと配管との間に設ける構造になっているため、配管からヘッドまでの接続距離が長くなり、設置場所が、天井裏の狭い場所や、むき出し天井の場所等、その長くなる接続距離を設置空間中に確保できない場所であると、設置ができないという問題がある。更に、常に起動ワイヤが設置場所の壁面上に露出するものとなっており、設置場所の美観を損ねるという問題もある。
【０００６】
尚、前記の緊急放水停止装置の場合、壁面上に沿って設けるために起動ワイヤを複数個所で折り曲げる必要があるが、起動ワイヤを操作する力が止水機構に確実に伝達するようにするためには、途中に滑車やワイヤガイド等の動力伝達機構を設ける必要があると解される。即ち、実際には施工の際の手間はより多くなると解される。
【０００７】
この発明は、前記の事情に鑑み、放水を任意に停止できるものでありながら、設置が容易なスプリンクラヘッドを提供することを目的とする。
【課題を解決するための手段】
【０００８】
この発明は、先端に放水口を有するヘッド本体と、前記放水口を閉止する弁体と、常時は前記弁体を支持し、火災時は熱によって分解する感熱分解機構部とを備え、前記感熱分解機構部が分解し、前記弁体が前記放水口を開放することにより、前記放水口から消火水を放出するスプリンクラヘッドにおいて、前記ヘッド本体に設けられ、前記弁体が開放して前記放水口から消火水が放出されている際に前記放水口への消火水の流水を停止するための止水機構部と、前記止水機構部を動作させるための起動ワイヤであって、前記感熱分解機構部が分解する際に前記ヘッド本体下方に吊り下がる起動ワイヤとを更に備えたことを特徴とするスプリンクラヘッドである。
【発明の効果】
【０００９】
この発明においては、前記の通り構成される止水機構部と起動ワイヤとを備えていることにより、感熱分解機構部が分解し、弁体が開放して放水口から消火水が放出されている状態でも、必要に応じ、ヘッド本体から吊り下がる起動ワイヤを操作することにより、止水機構部を放水口への消火水の流水を停止するよう動作させ、放水口から消火水が放出されるのを停止することができる。
【００１０】
そして、前記のように消火水の放出を任意に停止することができるものでありながら、そのために必要な機構部分である止水機構部と起動ワイヤの何れもがスプリンクラヘッドに設けられており、止水機構部はもちろん、起動ワイヤも常時はスプリンクラヘッド中に収納しておくことができ、設置に際し、スプリンクラヘッド自体の取り付けをするだけで作業を完了させることができる。
【００１１】
従って、この発明によれば、放水を任意に停止できるものでありながら、設置が容易なスプリンクラヘッドを提供することができる。
【００１２】
尚、前記従来例と比較して具体的に述べれば、この発明は、止水機構をスプリンクラヘッドと配管との間の継手中に設ける必要がなく、スプリンクラヘッドと配管との接続距離を長くすることがないので、設置場所が、天井裏の狭い場所や、むき出し天井の場所等であっても、設置することができる。又、前記従来例と異なり、起動ワイヤを設置場所の壁面上に沿って設ける必要がなく、起動ワイヤによって設置場所の美観を損なうことがない。又、前記の通り起動ワイヤを常時はスプリンクラヘッド中に内蔵させておくことができ、それにより起動ワイヤが誤操作されるのを防止することができる。更に、起動ワイヤをヘッド下方に吊り下がるものとしていることにより、起動ワイヤを操作する力を直線的に止水機構に伝達させることができ、途中に滑車やワイヤガイド等の動力伝達機構を設けずとも、その力を止水機構に確実に伝達させることができる。
【図面の簡単な説明】
【００１３】
【図１】この発明のスプリンクラヘッドの一例を示したものであり、常時の待機状態にあり、感熱分解機構部が分解しておらず、弁体は閉止状態にあり、止水機構部は開放状態にある時の縦断面図である。
【図２】同上を示したものであり、図１のＡ−Ａ線矢視（止水機構部の駆動機構側の側面を含む。）断面図である。
【図３】同上を示したものであり、図１のＢ−Ｂ線矢視（止水機構部のラチェット機構側の側面を含む。）断面図である。
【図４】同上を示したものであり、火災時等の作動状態にあり、感熱分解機構部が分解しており（感熱分解機構部がヘッド本体から分離して起動ワイヤと共に落下の途中にある時の状態を示している。）、弁体が開放状態にあると共に、止水機構部も開放状態にあり、放水が継続される状態にある時の縦断面図である。
【図５】図４の状態における止水機構部のみを示したものであり、（ａ）、（ｂ）の何れも、開放状態にある時の外観を模式化して示したものであるが、（ｂ）中に流水の状態を示す矢印を付したものである。尚、図示の便宜上、回転する弁体にのみ着色を付してある。
【図６】同上を示したものであり、火災時等の作動状態にあり、感熱分解機構部が分解しており（感熱分解機構部がヘッド本体から分離して起動ワイヤと共に落下し、起動ワイヤの全長がヘッド本体下方に釣り下がっている時の状態を示している。）、弁体は開放状態にあるものの、止水機構部は閉止状態にあり、放水が停止される状態にある時の縦断面図である。
【図７】図６の状態における止水機構部のみを示したものであり、（ａ）、（ｂ）の何れも、閉止状態にある時の外観を模式化して示したものであるが、（ｂ）中に流水停止の状態を示す矢印を付したものである。尚、図示の便宜上、回転する弁体にのみ着色を付してある。
【発明を実施するための形態】
【００１４】
以下、この発明の実施形態の一態様をボール支持式の感熱分解機構部を備えたスプリンクラヘッドに適用する場合を例に図１乃至図７に基づいて説明する。
【００１５】
スプリンクラヘッド１は、先端に消火水の放水口２ａを有するヘッド本体２と、放水口２ａを閉止する弁体３と、常時は弁体３を支持し、火災時はその熱によって分解する感熱分解機構部４とを備えており（図１乃至図３参照）、感熱分解機構部４が分解すれば、弁体３が変位して放水口２ａを開放し、それにより消火水Ｗを放水口２ａから放出するように構成されている（図４参照）。
【００１６】
そして、スプリンクラヘッド１は、ヘッド本体２内に設けられ、弁体３が開放し、放水口２ａから消火水が放出されている際に放水口２ａへの消火水の流水を停止するための止水機構部５と、その止水機構部５を動作させるための感熱分解機構部４が分解する際にヘッド本体２の下方に吊り下がる起動ワイヤ６とを更に備えている（図４及び図６参照）。
【００１７】
スプリンクラヘッド１は、それら止水機構部５と起動ワイヤ６とを備えていることにより、火災時（誤作動時を含む。）、感熱分解機構部４が分解し、弁体３が開放して放水口２ａから消火水Ｗが放出されている状態でも、必要に応じ、ヘッド本体２から吊り下がる起動ワイヤ６を操作することにより、止水機構部５を放水口２ａへの消火水Ｗの流水を停止するよう動作させ、放水口２ａから消火水Ｗが放出されるのを停止することができるようになっている（図６参照）。
【００１８】
又、前記の通り、弁体３が開放して放水口２ａから消火水Ｗが放出されている状態でも、任意に消火水Ｗの放出を停止することができるようになっているが、そのための機構部分である止水機構部５と起動ワイヤ６とがスプリンクラヘッド１中に設けられており、ヘッド本体２内に設けられている止水機構部５はもちろん、起動ワイヤ６も常時はスプリンクラヘッド１中に収納しておくことができるようになっており、その設置に際し、スプリンクラヘッド１自体の取り付けをするだけで作業を完了させることができるようになっている。
【００１９】
つまり、スプリンクラヘッド１は、止水機構部５と起動ワイヤ６とを備えていることにより、放水を任意に停止することができるものでありながら、設置を容易にすることができるようになっている。
【００２０】
本実施形態のスプリンクラヘッド１について、更に詳細に説明する。
【００２１】
スプリンクラヘッド１において、ヘッド本体２は、上端に消火水が流入する流入口２ｂを有すると共に、外周に消火水供給の配管等との螺合部を有し、本体上部側に設けられた接続部２ｃと、下端に前記の放水口２ａを有し、本体下部側に設けられた放水筒２ｄと、接続部２ｃと放水筒２ｄとの間に形成されたフランジ２ｅとからなり、それらの内部に全体を軸方向に貫通し、流入口２ｂと放水口２ａとを連通させる消火水流路２ｆが形成されている。尚、ヘッド本体２の下方には前記の弁体３や感熱分解機構部４等が設けられているが、フランジ２ｅの周壁内側に上部が螺着され、それら弁体３や感熱機構部４等を囲むようにフランジ２ｅの下方に延出するフレーム７も設けられている。
【００２２】
弁体３は、常時は感熱分解機構部４によって支持され、放水口２ａの端縁に設けられている弁座部に着座している状態が維持され、放水口２ａを閉止している状態が維持されているが、上下方向に移動可能に設けられており、感熱分解機構部４が分解し、それによる支持が解かれれば、下方に移動して放水口２ａを開放するようになっている。尚、弁体３の上下方向の移動は上下方向の弾発力を有するバネ部材８ａを有する移動機構部８によってガイドされるようになっているが、その移動機構部８の移動は前記のフレーム７によってガイドされるようになっている。
【００２３】
感熱分解機構部４は、所謂ボール式のものであり、環状に配置された複数のボール４ａ，４ａ，．．．を含むリンク機構によって構成されており、そのリンク機構を火災時の熱によって溶融変位して分解させる半田等の感熱素子４ｅを下部に備え、常時は組立状態が維持され、弁体３を支持して閉止状態に維持する一方、火災時は分解し、弁体３を開放状態にするように構成されている。
【００２４】
具体的には、感熱分解機構部４は、それらボール４ａ，４ａ，．．．を上方から支持するスライダ４ｂと、下方から支持するバランサ４ｃと、スライダ４ｂと弁体３との間に位置し、上下方向の弾発力を有する皿バネ４ｄと、集熱板４ｉをその中央凹部４ｊにおいて貫通すると共にバランサ４ｃも貫通し、下部に集熱板４ｉの中央凹部４ｊと共に感熱素子４ｅを収容する収容部を環状に画定するフランジ４ｆを有するプランジャ４ｇと、スライダ４ｂを貫通し、上部が弁体３の下面に当接すると共に、下部がプランジャ４ｇの上部に螺着されるセットスクリュー４ｈ等を備えている。常時は、ボール４ａ，４ａ，．．．がフレーム７の下部に設けられている内側フランジ７ａによっても下方から支持され、位置が固定されている。それにより、ボール４ａ，４ａ，．．．がリンク機構のロック手段として機能し、全体が組立状態に維持され、弁体３を支持して閉止状態に維持するようになっている。一方、火災時は、感熱素子４ｅの溶融変位により集熱板４ｉが下方に移動し、それに伴ってバランサ４ｃが下方に移動することによりボール４ａ，４ａ，．．．によるロック状態が解かれ、ボール４ａ，４ａ，．．．を含め、弁体３の下方にある部分の全てが下方に落下するようになっている。それにより弁体３の支持状態が解かれ、弁体３を開放状態にするようになっている（図４及び図６参照）。尚、弁体３の開放状態への変化は、弁体３が下方に移動することによって行われるが、弁体３の下方への移動は、前記の通り移動機構部８によってガイドされるようになっており、移動機構部８が上下方向の弾発力を有するバネ部材８ａを有していることによりその移動が直ちに行われるようになっている。
【００２５】
止水機構部５は、本実施形態においては、その止水のための機構として回転式の弁機構を備えたものとなっている。
【００２６】
本実施形態の止水機構部５について、その概要から説明すると、円柱形状をなし、そのボディを径方向に貫通して形成された貫通口５ｂを有する弁体５ａと、弁体５ａが長さ方向軸回りに回動自在に収納される円筒形状で、弁体５ａの径方向対称位置に形成された流入口５ｄ及び流出口５ｅを有するスリーブ５ｃとを備えている。止水機構部５は、スリーブ５ｃの流入口５ｄと流出口５ｅとの間を弁体５ａの貫通口５ｂにより連通させる状態と、弁体５ａの周壁５ｗにより遮断する状態とを弁体５ａが回転することで切り替えることができるようになっている。即ち、止水機構部５は、スリーブ５ｃの流入口５ｄ及び流出口５ｅと弁体５ａの貫通口５ｂとが位置が一致していれば、流入口５ｄが貫通口５ｂによって開放され、貫通口５ｂを介して流出口５ｅとの間を連通する状態になり（図５（ａ）参照）、消火水Ｗの流水を許容する状態になる（図５（ｂ）参照）。そして、弁体５ａが回転し、スリーブ５ｃの流入口５ｄ及び流出口５ｅと弁体５ａの貫通口５ｂとが位置がずれれば、流入口５ｄが弁体５ａの周壁５ｗによって閉止され、流出口５ｅとの間を遮断する状態になり（図７（ａ）参照）、消火水Ｗの流水を停止する状態になるようになっている。
【００２７】
止水機構部５は、前記の通りヘッド本体２内に弁体３の上方に位置して設けられているが、具体的には、流路２ｆ中、弁体３の上方を横断するように放水筒２ｄを径方向に貫通し、スリーブ５ｃの流入口５ｄ及び流出口５ｅが流路２ｆに正対する向きで固定して設けられている。止水機構部５は、貫通口５ｂが前記のように流入口５ａ及び流出口５ｅと一致する位置にある開放状態にあれば、流路２ｆ中に流入口５ｄ、貫通口５ｂ及び流出口５ｅが並び、弁体３によって開閉される放水口２ａに至る消火水の流水を許容する状態（図１乃至図５参照）になる。そして、弁体５ａが回転し、前記のように流入口５ｄ及び流出口５ｅと貫通口５ｂとが位置がずれている閉止状態にあれば、流入口５ｄが弁体５ａの周壁５ｗによって閉止され、弁体３によって開閉される放水口２ａに至る消火水の流水を停止する状態（図６及び図７参照）になるようになっている。
【００２８】
更に、止水機構部５は、前記の通り、起動ワイヤ６を操作することにより放水口２ａへの消火水Ｗの流水を停止するよう動作するものであるが、そのように動作させるために起動ワイヤ６を通じて弁体５ａを回転駆動させる駆動機構５ｆを備えている。駆動機構５ｆは、本実施形態においては、弁体５ａの長さ方向一方の端部に設けられており、弁体５ａと一体の駆動軸５ｇと、その駆動軸５ｇと一体であり、起動ワイヤ６の基端が係止され、起動ワイヤ６が引かれる力を駆動軸５ｇを回転させる力として伝達する駆動レバー５ｈとを有する。止水機構部５は、起動ワイヤ６を引くことにより駆動レバー５ｈの先端が下方に回転し、駆動軸５ｇを介して弁体５ａを回転駆動することができるようになっている（図１及び図２参照）。尚、５ｉは、駆動レバー５ｈの先端を初期位置の上方に回転させ復帰させるためのバネ部材である。図２においては、感熱分解機構部４が落下してもバネ５ｉにより駆動レバー５ｈは回転しないが、ある程度の力で起動ワイヤ６が引かれると時計回りに約９０度回転する。
【００２９】
又、本実施形態において、止水機構部５は、弁体５ａを回転動作させた際に回転後の状態を維持することができるようになっており、そのための機構として逆回転防止機構５ｊを備えている。逆回転防止機構５ｊは、駆動機構５ｆとは反対側の端部に設けられており、本実施形態においては、弁体５ａと一体に設けられたラチェットギヤ５ｋと、スリーブ５ｃに揺動自在に設けられ、ラチェットギヤ５ｋの周囲に位置し、ラチェットギヤ５ｋと係合して弁体５ａの逆回転を防止する一対のラチェットアーム５ｍ，５ｍとを有するものとなっている。尚、５ｎは、ラチェットアーム５ｍ，５ｍをラチェットギヤ５ｋ側に付勢するバネ部材である。
【００３０】
起動ワイヤ６は、前記の通り感熱分解機構部４が分解する際にヘッド本体２の下方に吊り下がるものであるが、常時はスプリンクラヘッド１中に収納されるものとなっている（図１乃至図３参照）。具体的には、起動ワイヤ６の一端は、前記の通り止水機構部５に係止されたものとなっているが、他端は感熱分解機構部４に係止されると共に、それに巻回されたものとなっており、起動ワイヤ６はその全長に亘ってスプリンクラヘッド１中に収納されるものとなっている。尚、本実施形態において、起動ワイヤ６の止水機構部５側の係止位置は、前記の通り駆動レバー５ｈとしており、感熱分解機構部４側の係止位置及び巻回位置は筒状をなすプランジャ４ｇとしているが、それら係止位置及び巻回位置は適宜変更することができる。
【００３１】
又、起動ワイヤ６は、火災時（誤作動時も含む。）、感熱分解機構部４が分解し、ヘッド本体２の下方に落下することにより、それに伴ってヘッド本体２の下方に吊り下がることになるが（図４及び図６参照）、その吊り下がる長さについては、感熱分解機構部４を空間中に懸吊することができる程度のものとすることができる（図６参照）。感熱分解機構部４と共に床面まで落下する程度のものとしてもよいが、起動ワイヤ６により感熱分解機構部４を空間中に懸吊する程度のものとすることもできる。それにより、止水機構部５の操作手段となる起動ワイヤ６の位置を視認し易くすることができるし、懸吊されている感熱分解機構部４を把持して起動ワイヤ６を操作することができ、その操作を容易にすることができる。
【００３２】
尚、この起動ワイヤ６としては、金属製のものを用いることができるが、耐食性のあるものであるのが好ましく、例えばステンレス製やチタン製やそれらの合金のものを用いることができる。又、図面上、起動ワイヤ６を便宜的に太線で示しているが、その実際の太さについては、放水口２ａから消火水が放出されている際にヘッド本体２の下方に吊り下がっていても、その放出の邪魔にならないように細いものを用いるのが好ましく、例えば０．３ｍｍ程度の太さのものとすることができる。
【００３３】
本実施形態のスプリンクラヘッド１は、前記の通り構成されるものであるところ、その作動について最後に簡単に説明する。
【００３４】
常時の待機状態において、止水機構部５は開放状態にあるが、感熱分解機構部４は分解しておらず、弁体３は閉止状態にあり、消火水Ｗは放出されない（図１乃至図３参照）。火災時（誤作動時を含む。）の作動状態において、感熱分解部４が分解すると、弁体３が開放状態になり、消火水Ｗが放出口２ａから放出されるが、その際の感熱分解機構部４の下方への落下に伴い、起動ワイヤ６がヘッド本体２の下方に吊り下がる（図４参照）。消火水Ｗが放出されている状態でも、その放出を停止する必要がある場合は、ヘッド本体２の下方に吊り下がっている起動ワイヤ６を下方に引っ張り、止水機構部５を閉止状態に動作させ、流路２ｆを閉止すれば、放出口２ａからの消火水Ｗの放出は停止されることになる（図６参照）。具体的には、起動ワイヤ６を下方に引っ張ると、止水機構部５の駆動レバー５ｈが回転して、それに伴い駆動軸５ｇが回転することにより、弁体５ａが回転して、流入口５ｄ及び流出口５ｅと貫通口５ｂとが位置がずれている閉止状態となり、放出口２ａからの消火水Ｗの放出が停止される。
【００３５】
ここで、本実施形態のスプリンクラヘッド１において、止水機構部５は、初期状態において弁体５ａが開放状態にあるものとなっており、感熱分解機構部４が分解し、弁体３が開放すれば、直ちに消火水Ｗが放水口２ａから放出されるようになっているが（図４参照）、止水機構部５については、初期状態で弁体５ａを閉止状態にしておき、感熱分解機構部４が落下する際の落下荷重により起動ワイヤ６を通じ弁体５ａ開放状態になるものとし、それにより流路２ｆが開放され、消火水Ｗが放水口２ａから放出されるようにしてもよい。そのようにすることにより感熱分解機構部４が落下しない限り、止水機構部５が開放状態にならないようにすることができ、外力によりスプリンクラヘッド１に変形が生じ、弁体３に位置ずれが生じたとしても、消火水の漏水を防ぐようにすることができる。
【００３６】
以上、この発明の実施形態について説明したが、この発明は上記の実施形態に限定されるものではない。
【００３７】
例えば、感熱部材としては、ボール、バランサ等から構成される感熱分解部を使用したが、この発明は、火災時に破裂するグラスバルブや火災時に溶解する溶解金属などを使用したヒュージブルリンクからなる感熱分解機構部を備えたスプリンクラヘッドにも適用することができる。その場合、止水機構部は、本実施の形態と同様に放水筒２ｄに設けることができ、起動ワイヤは、弁体またはヒュージブルリンクに設けることができる。又、起動ワイヤは、フレームに設けたスリットから外部に引き出して、外部から起動ワイヤを引くことができるようにしてもよい。
【００３８】
又、上記の実施形態においては、止水機構部５として前記の通り構成される弁機構を用いているが、止水機構部５としては、起動ワイヤ６を通じて閉動作させることができるものであれば、他の弁機構を用いてもよい。例えば、止水機構部５において、弁体５ａを回転させることにより閉動作させるのに代えて、スリーブ５ｃ側を弁体として回転させることにより閉動作させるようにしてもよい。又、回転式に代えて流路２ｆの流れ方向に直交する向き（図面上の向きでは水平方向）に弁体５ａを移動させて流路２ｆの開閉動作をするスライド式の弁機構としてもよい。更に、弁機構全体を変更してもよく、例えば、複数の羽根板からなる絞り機構式のものとしてもよい。又、流路２ｆの内壁にテーパー部を設けると共に、その上方に流路２ｆの内壁に沿って上下方向に摺動可能な弁体であって、環状の基部と、その基部の周方向に沿って複数設けられると共に、その基部より下方に垂れ下がるように設けられ、それぞれがテーパー状に形成された可撓片部とを有し、流路２ｆの内壁のテーパー部に沿って下方に摺動する際に流路２ｆを狭めるように可撓片部が変形する弁体によって構成される弁機構としてもよい。また、ワイヤを引くと巾着袋の口のように狭くなり流路２ｆを狭めるように変形する弾性の膜によって構成される弁機構としてもよい。
【符号の説明】
【００３９】
１：スプリンクラヘッド  ２：ヘッド本体  ２ａ：放水口  ２ｂ：流入口  
２ｃ：接続部２ｄ：放水筒  ２ｅ：フランジ  ２ｆ：消火水流路  ３：弁体  
４：感熱分解機構部  ４ａ：ボール  ４ｂ：スライダ  ４ｃ：バランサ  ４ｄ：皿バネ
４ｅ：感熱素子  ４ｆ：フランジ  ４ｇ：プランジャ  ４ｈ：セットスクリュー
４ｉ：集熱板  ４ｊ：中央凹部  ５：止水機構部  ５ａ：弁体  ５ｂ：貫通口
５ｃ：スリーブ  ５ｄ：流入口  ５ｅ：流出口  ５ｆ：駆動機構  ５ｇ：駆動軸
５ｈ：駆動レバー  ５ｉ：バネ部材  ５ｊ：逆回転防止機構  ５ｋ：ラチェットギヤ
５ｍ：ラチェットアーム  ５ｎ：バネ部材  ５ｗ：周壁  ６：起動ワイヤ
７：フレーム  ７ａ：内側フランジ  ８：移動機構部  ８ａ：バネ部材
【図１】
2015134003.tif 000003
【図２】
2015134003.tif 000004
【図３】
2015134003.tif 000005
【図４】
2015134003.tif 000006
【図５】
2015134003.tif 000007
【図６】
2015134003.tif 000008
【図７】
2015134003.tif 000009